(57)【特許請求の範囲】
【請求項１】
2レベル端末グループベースのハイブリッド自動反復要求(HARQ)信号伝達をサポートするための方法であって、
複数のユーザ機器(UE)を備える仮想マルチポイント(ViMP)ノード内の協調するユーザ機器(CUE)において、基地局(BS)から前記ViMPノードにブロードキャストされた目標UE(TUE)に対するデータパケットを受信するステップと、
前記データパケットを復号するステップと、
前記データパケットを正常に復号すると、なおかつ前記TUEからの否定応答(NACK)メッセージがない場合に、前記BSによって予め規定されたタイマが満了するまたは肯定応答(ACK)メッセージが前記TUEもしくは前記ViMPノードから受信されるまで、前記ViMPノード内で前記データパケットを、前記CUEによって、ブロードキャストするステップと
を含む、方法。
【請求項２】
前記ViMPノード内の1つまたは複数のUEから前記ブロードキャストされたデータパケットを受信するステップと、
前記ブロードキャストされたデータパケットを正常に復号すると、前記ViMPノード内の前記TUEに前記ブロードキャストされたデータパケットまたは前記BSから最初に受信された前記データパケットを再ブロードキャストするステップと
をさらに含む、請求項１に記載の方法。
【請求項３】
前記TUE、ビーコンUE、または前記ViMPノード内のいずれかの前記UEからNACKメッセージを受信したときに、前記データパケットが、再ブロードキャストされる、請求項２に記載の方法。
【請求項４】
前記BSによる前記タイマが満了するまで、前記データパケットが、前記ViMPノード内の前記UEに再ブロードキャストされる、請求項２に記載の方法。
【請求項５】
前記ACKメッセージが前記TUE、ビーコンUE、または前記ViMPノード内のいずれかの前記UEから受信されるまで、前記データパケットが再ブロードキャストされる、請求項２に記載の方法。
【請求項６】
前記タイマが満了した後、前記ACKメッセージが受信されない場合に、前記BSから前記データパケットの再伝送を受信するステップをさらに含む、請求項１に記載の方法。
【請求項７】
前記データパケットが、前記ViMPノード内の前記UEのスケジューリングなしに、かつ前記BSとの同期なしに、前記ViMPノード内の前記UEにブロードキャストされる、請求項１に記載の方法。
【請求項８】
前記ViMPノード内の前記UEにブロードキャストされる前記データパケットが、前記受信および復号された同じデータパケットのネットワークコード化バージョン、連結された低密度パリティチェック(LDPC)コーディングの場合の追加のコード化記号、または、ターボコーディングの場合の所与の冗長バージョンを備える、請求項１に記載の方法。
【請求項９】
前記ネットワークコード化バージョンが正常に復号されたパケットの線形結合を備えるとともに、前記復号されたパケットが、パケットがネットワークコード化された情報と前記TUEに送信される係数を使用して結合される、請求項８に記載の方法。
【請求項１０】
前記ネットワークコード化バージョンが、正常に復号されたパケットの線形結合を備えるとともに、前記復号されたパケットが、前記TUEによって予め知られている係数を使用して結合される、請求項８に記載の方法。
【請求項１１】
異なるHARQ冗長バージョン、低密度パリティチェック(LDPC)コード語、または、異なるTUEに対してその両方を有するデータパケットを、前記BSから受信するステップであって、前記異なるHARQ冗長バージョンおよびLDPCコード語が直交署名にマップされる、ステップと、
前記ViMPノード内の前記UEに前記データパケットをブロードキャストするステップと
をさらに含む、請求項１に記載の方法。
【請求項１２】
2レベル端末グループベースのハイブリッド自動反復要求(HARQ)信号伝達をサポートするための方法であって、
複数のユーザ機器(UE)を備える仮想マルチポイント(ViMP)ノード内の目標ユーザ機器(TUE)で、基地局(BS)から前記ViMPノードにブロードキャストされかつ前記TUEに向けられたデータパケットを受信するステップと、
前記TUEが前記データパケットについての肯定応答(ACK)メッセージまたは否定ACK(NACK)メッセージを送信することなしに、前記ViMPノード内の協調するユーザ機器(CUE)から前記データパケットの再伝送を、前記TUEにおいて、受信するステップと、
前記データパケットを復号するステップと、
前記データパケットを正常に復号すると、前記ViMPノード内の前記UEにおよび前記BSにACKメッセージを、前記TUEによって、ブロードキャストするステップと
を含み、
前記BSによって予め規定されたタイマが満了するまたは前記ACKメッセージが前記UEから送信される前に、前記ViMPノード内の前記CUEから前記データパケットが受信される、方法。
【請求項１３】
前記データパケットを正常に復号する前に、正常に復号されていない前記データパケットに応答して、前記ViMPノード内の前記UEのみに前記NACKメッセージをブロードキャストするステップをさらに含む、請求項１２に記載の方法。
【請求項１４】
2レベル端末グループベースのハイブリッド自動反復要求(HARQ)信号伝達をサポートする、協調するユーザ機器(CUE)であって、
プロセッサと、
前記プロセッサによって実行するためのプログラムを記憶するコンピュータ可読記憶媒体であり、前記プログラムが、
複数のUEを備える仮想マルチポイント(ViMP)ノード内で、基地局(BS)から前記ViMPノードにブロードキャストされた目標UE(TUE)に対するデータパケットを受信すること、
前記データパケットを復号すること、および、
前記データパケットを正常に復号すると、なおかつ前記TUEから否定応答(NACK)メッセージがない場合に、前記BSによって予め規定されたタイマが満了するまたは肯定応答(ACK)メッセージが前記TUEから受信されるまで、前記データパケットを前記ViMPノード内の前記UEにブロードキャストすること
を行うための命令を含む、コンピュータ可読記憶媒体と
を備える、CUE。
【請求項１５】
前記プログラムが、
前記ブロードキャストされたデータパケットを前記ViMPノード内の1つまたは複数のUEから受信すること、および、
前記ブロードキャストされたデータパケットを正常に復号すると、前記BSによる前記タイマが満了するまたは前記ACKメッセージが前記TUEから受信されるまで、前記ViMPノード内の前記UEに前記ブロードキャストされたデータパケットまたは前記BSから最初に受信された前記データパケットを再ブロードキャストすること
を行うためのさらなる命令を含む、請求項１４に記載のCUE。
【請求項１６】
前記ViMPノード内の前記TUEからNACKメッセージを受信すると、前記ブロードキャストされたデータパケットを再ブロードキャストするためのさらなる命令を前記プログラムが含む、請求項１５に記載のCUE。
【請求項１７】
2レベル端末グループベースのハイブリッド自動反復要求(HARQ)信号伝達をサポートする目標ユーザ機器(TUE)であって、
プロセッサと、
前記プロセッサによって実行するためのプログラムを記憶するコンピュータ可読記憶媒体であり、前記プログラムが、
複数のユーザ機器(UE)を備える仮想マルチポイント(ViMP)ノード内で、基地局(BS)から前記ViMPノードにブロードキャストされかつ前記UEに向けられたデータパケットを受信すること、
前記TUEが前記データパケットについての肯定応答(ACK)メッセージまたは否定ACK(NACK)メッセージを送信することなしに、前記ViMPノード内の協調するユーザ機器(CUE)から前記データパケットの再伝送を受信すること、
前記データパケットを復号すること、および、
前記データパケットを正常に復号すると、前記ViMPノード内の前記UEにおよび前記BSに前記ACKメッセージをブロードキャストすること
を行うための命令を含む、コンピュータ可読記憶媒体と
を備え、
前記BSによって予め規定されたタイマが満了するまたは前記ACKメッセージが前記UEから送信される前に、前記ViMPノード内の前記CUEから前記データパケットが受信される、TUE。
【請求項１８】
前記プログラムが、
前記データパケットを正常に復号する前に、前記データパケットが正常に復号されていないことに応答して、前記ViMPノード内の前記UEのみに前記NACKメッセージをブロードキャストする
ためのさらなる命令を含む、請求項１７に記載のUE。
【発明の詳細な説明】
【技術分野】
【０００１】
本出願は、参照によりその全部が複製されたように本明細書に組み込まれている、2012年12月18日に出願した米国仮出願第61/738,907号、表題「System and Method for Network Coding Assisted Terminal-Group Based HARQ」、および、2013年3月14日に出願した米国非仮出願第13/829,188号、表題「System and Method for Terminal-Group Based HARQ for Cellular Integrated D2D Communications」の利益を主張するものである。
【０００２】
本発明は、ワイヤレス通信の分野に関し、特定の実施形態において、セルラ統合デバイス対デバイス(D2D)通信のための端末グループベースのHARQのためのシステムおよび方法に関する。
【背景技術】
【０００３】
直接モバイル通信(DMC)およびセルラ制御デバイス対デバイス(D2D)通信は、次世代ワイヤレスネットワークにおいて重要な役割を果たすことが期待される。D2D通信に基づくユーザ機器(UE)協調は、注目を集めている1つの技術である。D2D通信の進歩とともに、UE協調は、ワイヤレス通信の未来において役割を果たすと期待される。この技術は、空間、時間および周波数で多様性を実現し、フェーディングおよび干渉に対する頑強性を強化するために、使用することができる。UE協調において、D2D通信は、UEのうちのいくつかが他のUEのための中継の機能を果たしてシステム処理能力および適用範囲を改善する、共同UE受信を確立するために使用される。しかし、D2D通信を使用する共同UE受信はまた、ハイブリッド自動反復要求(hybrid-automatic request: HARQ)信号伝達などのネットワーク通信の複雑さを増大させ得る。HARQ機構は、現在のワイヤレスセルラネットワークにおける通信を改善する(誤ったデータパケットについて)ことができるリンク適応技法である。しかし、HARQの現在の実装形態は、UEグループ分けを考慮せず、D2D UE協調能力を効率的に活用しない。したがって、HARQ機構でUE協調およびD2D通信を活用する効率的技法が必要とされている。
【発明の概要】
【課題を解決するための手段】
【０００４】
一実施形態によれば、2レベル端末グループベースのハイブリッド自動反復要求(HARQ)信号伝達をサポートするための方法は、基地局(BS)からViMPノードにブロードキャストされる目標UE(TUE)に対するデータパケットをUEの仮想マルチポイント(ViMP)ノード内のUEで受信するステップと、そのデータパケットの復号を試みるステップと、そのデータパケットを無事に復号すると、BSによって予め規定されたタイマが満了するまたは肯定応答(ACK)メッセージがTUEもしくはViMPノードから受信されるまで、ViMPノード内でそのデータパケットをブロードキャストするステップとを含む。
【０００５】
もう1つの実施形態で、2レベル端末グループベースのHARQ信号伝達をサポートするための方法は、UEのViMPノード内のUEにおいて、BSからViMPノードにブロードキャストされかつそのUEに向けられたデータパケットを受信するステップと、そのデータパケットの復号を試みるステップと、そのデータパケットを正常に復号すると、ACKメッセージをViMPノード内でおよびBSにブロードキャストするステップとを含む。
【０００６】
もう1つの実施形態で、2レベル端末グループベースのHARQ信号伝達をサポートするための方法は、TUEを含むUEを備えるViMPノードに目標UE(TUE)のためのデータパケットを、BSで、ブロードキャストするステップと、そのデータパケットをブロードキャストすると、所定の制限時間を有するタイマを起動するステップと、TUEからのACKメッセージの受信なしにタイマが制限時間に達するとViMPノードにそのデータパケットを再ブロードキャストするステップとを含む。
【０００７】
さらにもう1つの実施形態で、2レベル端末グループベースのHARQ信号伝達をサポートするUEは、プロセッサ、および、そのプロセッサによって実行するためのプログラムを記憶するコンピュータ可読記憶媒体を含む。そのプログラムは、BSからViMPノードにブロードキャストされるTUEに対するデータパケットを複数のUEを備えるViMPノード内で受信することと、そのデータパケットの復号を試みることと、そのデータパケットを正常に復号すると、BSによって予め規定されたタイマが満了するまたはACKメッセージがTUEから受信されるまでViMPノード内でそのデータパケットをブロードキャストすることとを行うための命令を含む。
【０００８】
もう1つの実施形態で、2レベル端末グループベースのHARQ信号伝達をサポートするUEは、プロセッサ、および、そのプロセッサによって実行するためのプログラムを記憶するコンピュータ可読記憶媒体を含む。そのプログラムは、BSからViMPノードにブロードキャストされたおよびUEに向けられたデータパケットを複数のUEを備えるViMPノード内で受信することと、そのデータパケットの復号を試みることと、そのデータパケットを正常に復号するとACKメッセージをViMPノード内でおよびBSにブロードキャストすることとを行うための命令を含む。
【０００９】
もう1つの実施形態で、2レベル端末グループベースのHARQ信号伝達をサポートするネットワーク構成要素は、プロセッサ、および、そのプロセッサによって実行するためのプログラムを記憶するコンピュータ可読記憶媒体を含む。そのプログラムは、TUEを含むUEを備えるViMPノードにそのTUEのためのデータパケットをブロードキャストすることと、そのデータパケットをブロードキャストしたときに所定の制限時間を有するタイマを起動することと、TUEからACKメッセージを受信するまで、タイマが制限時間に達したときにViMPノードにそのデータパケットを再ブロードキャストすることとを行うための命令を含む。
【００１０】
本発明およびその利点のより完全な理解のために、以下のような添付の図面とともに以下の説明がここで参照される。
【図面の簡単な説明】
【００１１】
【図１】UE協調を有するD2D通信を示す図である。
【図２】協調するUEと通信するBSを示す図である。
【図３】協調的HARQ機構の一実施形態を示す図である。
【図４】タイマを有しNACKフィードバックを有さない2レベルHARQ方式の一実施形態を示す図である。
【図５】タイマおよび第2のレベルのNACKフィードバックを有する2レベルHARQ方式の一実施形態を示す図である。
【図６】UE時間/周波数リソースグリッドを示す図である。
【図７】様々な実施形態を実装するために使用することができる処理システムを示す図である。
【発明を実施するための形態】
【００１２】
現在の好ましい実施形態の実行および使用が、以下に詳細に論じられる。しかし、本発明は、様々な特定の状況で実施することができる多数の適用可能な発明概念を提供することを理解されたい。論じられる特定の実施形態は、本発明を行うおよび使用するための特定の方法を単に例示し、本発明の範囲を限定しない。
【００１３】
図1は、UE協調を有するD2D通信のためのシステム100を示す。複数のUEが、協調して、単一の分散型仮想送受信機の機能を果たす論理/仮想マルチポイント(ViMP)ノード130を形成する。本明細書で、ViMPノードという用語はまた、UEグループ、協調するUE、または共同受信/送信グループと呼ばれ得る。ViMPノード130は、目標UE(TUE)120および協調するUE(CUE)125のセットを含む。CUE125は、たとえば、ダウンリンクでデータを受信するおよび/またはアップリンクでデータを送信するために、TUE120がワイヤレスネットワーク(図示せず)で通信するのを助ける。そのようなものとして、ViMPノード130のUEは、アップリンクチャネルでデータを共同で送信し、ダウンリンクチャネルでデータを共同で受信することができる。
【００１４】
ダウンリンクViMP受信は、2つのステージを含む。ダウンリンクブロードキャストフェーズで、ネットワークは、ViMP無線ネットワーク一時識別子(radio network temporary identifier: RNTI)を使用してViMP受信機(Rx)ノード130にデータパケットをブロードキャストする。ViMP協調シナリオ(たとえば、容量強化、適用範囲拡張、または他のシナリオ)に応じて、TUE120およびCUE125の両方が、このフェーズ中にデータパケットをリッスンし、復号しようとする。D2Dデータ転送フェーズで、CUE125は、TUE120にいくらかの情報を転送して、TUE120が第1のフェーズ中にネットワークによってブロードキャストされた情報を復号するのを助ける。このフェーズ中にCUE125によって送信される情報は、ViMP協調戦略(たとえば、復号および転送(DF)、増幅および転送(AF)、共同受信(JR)、または他の戦略)に依存する。
【００１５】
図2は、協調するUEと通信する基地局(BS)のためのシステム200を示す。BS210は、BS210の適用範囲またはセル範囲240内で、TUE220および1つまたは複数のCUE225(1つのみが示される)を含むViMP Rxノード230とダウンリンクで通信する。DF中継プロトコルに応じて、全コード語が、メッセージの全部または一部を転送する前に、CUE225によって復号される。CUE225がパケットを正常に復号することができない場合、CUE225は、それらの対数尤度比(log-likelihood ratio: LLR)のサブセットを協調的に送信することによって、さらに助けることができる。
【００１６】
現在、HARQ機構は、システム100および200などにおいて、UEグループ分けを考慮せず、したがって、D2D UE協調能力を効率的に活用することができない。システムおよび方法の実施形態が、UE(たとえば、ViMPノード内)のグループとのネットワーク(またはBS)通信をサポートするために提供される。本実施形態は、以下に記載のように、機能強化されたグループベースの再伝送機構、たとえば、グループベースのHARQ方式、および高度ACK/NACKプロトコル、を含む。
【００１７】
セルラ統合D2D通信のための端末グループベースのHARQの一実施形態で、2レベルHARQ機構が、仮想マルチポイント(ViMP)送受信機(本明細書で端末グループ送受信機とも呼ばれる)のグループ特性を利用してD2D対応ワイヤレスセルラネットワークにおいて誤ったデータパケットの効率的再伝送を可能にするために、実装される。D2D能力を有するセルラネットワークの例は、3GPP LTE、LTE-A、IEEE WiMAX、および同様のシステムを含むが、これらに限定されない。2レベル端末グループベースのHARQ機構はまた、ワイヤレスチャネルのブロードキャスト特性を利用する。本機構の第2のレベルは、低い信号伝達オーバヘッドを提供する分散型HARQ方式を含む。必要とされる再伝送の数を減らす、ネットワークコーディングによって助けられる機構が、より効率的HARQを提供し、処理能力を向上させる。
【００１８】
図3は、端末グループベースのまたは協調的HARQ機構300の一実施形態を示す。ネットワーク内の1つまたは複数のBS310のグループ315が、Nパケットp1、p2、…、pN(Nは整数)をViMPノード330内の複数のCUE325に送信する。それらのパケットは、たとえば、ViMPノード330内に単一のTUE320が存在する場合、Nブロードキャストフェーズ中に時間とともに順次に送信され得る。ViMPノード330内に複数のTUE320が存在する場合、または複数ランク送信をサポートするUEの場合、N未満のブロードキャストフェーズが使用され得る。各パケットは、別個のHARQプロセスによって制御される。各ブロードキャストフェーズ中に、TUE320およびすべての関係するCUE325が、復号を試みる。データ転送フェーズ中、CUE325は、以下のネットワークコード化バージョンをTUE320に転送する:(i)CUE325が無事に復号した同じ元のパケット(たとえば
【００１９】
【数１】
0006020866.tif 000002
【００２０】
)、(ii)半二重復号および転送(DF)中継のための連結された低密度パリティチェック(low-density parity-check: LDPC)コーディング方式の場合に追加のコード化された記号、および/または、(iii)たとえば、ターボコーディングを使用する、所与の冗長バージョン。TUE320がBS310またはグループ315からp1、p2、…、pNについて受信する軟情報と、CUE325によって転送される追加情報とに基づいて、TUE320は、それら自体のパケットを復号しようとする。TUE320がパケットを復号することができる場合、TUE320は、ViMPノード330内でおよび元のBS310またはグループ315に肯定応答(ACK)メッセージをブロードキャストする。
【００２１】
各CUE325によって送信されるネットワークコード化パケットは、配列2のガロアフィールド、GF(2)、での動作に相当するXOR動作に必ずしも基づかない。n>1である、任意のGF(2n)での動作もまた可能であり、その場合、ネットワークコード化パケットは、以下に従って正常に復号されたパケットの任意の線形結合から成り得る:
p=α1p1+α2p2+…+αNpN、
但し、α1、α2、…、αNは、パケットがネットワークコード化された情報とともにTUE320に送信される係数である。もう1つの実施形態では、係数α1、α2、…、αNは、事前に知ることができ、CUE325によって転送される必要はない。
【００２２】
図4は、HARQ機構300で使用することができる、NACKフィードバックのない2レベルHARQ方式400の一実施形態を示す。eNB(またはBS)とViMPノード(またはUEグループ)の間のHARQ方式400の第1のレベルで、eNBが、UEグループにパケットを送信し、タイマがそのeNBで起動される。タイマ<T0(T0は所定の制限時間)である間、ViMPノード内のTUEおよびCUEはそのパケットを復号しようとし、そのパケットを正常に復号したCUEは、ViMPノード内でそのパケットをブロードキャストする。ViMPノード内のHARQ方式400の第2のレベルで、第1のeNB送信からのまたは他のCUEによるブロードキャストからのパケットを復号することができるCUEは、ViMPノード内でそのパケット(または別のバージョン)をブロードキャストする。ViMP Rxノード内の第2のレベルのHARQプロセスは、そのパケットがTUEによって正常に復号されるまで、継続する。この場合、ACKは、ViMPノード内のブロードキャストであり、eNBに送り返される。そうでない場合、ViMP Rxノード内の第2のレベルのHARQプロセスは、eNBにあるタイマが制限T0に達するまで、継続する。この場合、eNBは、否定ACK(NACK)応答を想定し、パケット(または別のバージョン)を再送する。方式400で、パケットが正常に復号されない場合、TUEは、NACK応答を実際には送信しない。第2のレベルの分散型HARQは、eNB(またはネットワーク)との同期なしに、およびViMPノード内でスケジューリングを使用することなしに、ViMPノード内でUEの関与を使用する。
【００２３】
図5は、HARQ機構300で使用することができる、ViMPノード内のNACKフィードバックを有する2レベルHARQ方式500の一実施形態を示す。HARQ方式500の第1のレベルで、eNB(またはBS)は、ViMPノード(またはUEグループ)にパケットを送信し、タイマがeNBで起動される。タイマ<T0である間、ViMPノード内のTUEおよびCUEはそのパケットを復号しようとし、そして、そのパケットを正常に復号するCUEは、ViMPノード内でブロードキャストパケットを送信する。ViMPノード内の第2のレベルのHARQで、パケットがTUEによって正常に復号されない場合、次いで、TUEは、ViMP Rxノード内でNACKメッセージをブロードキャストする。したがって、第1のeNB送信からのまたは他のCUEによるブロードキャストからのパケットを復号することができるCUEは、ViMPノード内でそのパケットまたは別のバージョンをブロードキャストする。パケットがTUEによって正常に復号されるまで、ViMP Rxノード内の第2のレベルのHARQプロセスは継続する。この場合、ACKはViMPノード内のブロードキャストであり、eNBに送信される。そうでない場合、ViMP Rxノード内の第2のレベルのHARQプロセスは、eNBにあるタイマが制限に達するまで、継続する。この場合、eNBは、NACKを想定し、そのパケットまたは別のバージョンを再送する。方式500で、CUEは、TUEからNACKを受信した場合にまたはそのときに、ViMPノード内で第2のレベルのHARQでそのパケットを再ブロードキャストする。第2のレベルの分散型HARQは、eNB(またはネットワーク)との同期なしに、およびViMPノード内でスケジューリングを使用することなしに、ViMPノード内でUEの関与を使用する。
【００２４】
図6は、ViMPノード内のすべてのUE620(TUEおよびCUEを含む)からの時間/周波数リソースグリッド600を示す。TUEでの復号について、異なるCUEからの送信は、TUEにおいてそれらを区別するために、時間/周波数/コード領域(またはその任意の組合せ)で分けられる。一実施形態で、異なるHARQ冗長バージョン/LDPCコード語は、直交署名にマップされ、異なるCUEから送信される。TUEは、TUEがBSから受信した情報とともに、すべてのCUEから受信された軟情報を蓄積してパケットの復号を試みる。
【００２５】
目標UEは、制御チャネル内で異なるレベルで明示的にまたは黙示的に宣言され、本目標UEは、グループに知られ、あるいは明示的にまたは黙示的にデータパケット内にあり、本目標UEは、データが正確に復号された後に初めて知られる。制御チャネルでの明確な目標UEで、目標UEは、それがパケットを受信しない場合に、NACKを送信することができる。制御チャネルでの明確な目標UEなしに、システムは、明示的NACK信号伝達を欠くことがある。NACKは、ACKが受信されないときに、黙示的に暗示され得る。
【００２６】
ネットワークへのACK/NACK信号伝達は、TUEまたはCUEによって送信することができる。それは、積極的に(それを受信するグループ内の任意のUEによって)、またはTUEのみによって反応的に、行われ得る。積極的には、データを受信するグループ内の各UEは、ACKを送り返し、データ転送の責任を負う。NACKは、この場合、ACKメッセージを送信しないことによって、黙示することができる。複数のUEがそのデータを受信する場合、UEからのACK信号は、無線を介して結合することができる。ビーコンUEは、ACKチャネルを管理するグループ内のUE(恐らくは最良のチャネルを有する、そして必ずしもTUEではない)である。反応的には、TUEは、プロセスおよび転送時間を考慮し、それが他のUEから助けを受けた後に、ACK/NACKを送信する。
【００２７】
図7は、様々な実施形態を実装するために使用することができる処理システム700のブロック図である。特定のデバイスは、図示された構成要素のすべてを、またはそれらの構成要素のサブセットのみを使用することができ、統合のレベルは、デバイスにより異なり得る。さらに、デバイスは、複数の処理装置、プロセッサ、メモリ、送信機、受信機などの構成要素の複数のインスタンスを含み得る。処理システム700は、スピーカ、マイクロフォン、マウス、タッチ画面、キーパッド、キーボード、プリンタ、ディスプレイなどの1つまたは複数の入力/出力デバイスを装備した処理装置701を備え得る。処理装置701は、中央処理装置(CPU)710、メモリ720、大容量記憶デバイス730、ビデオアダプタ740、および、バスに接続されたI/Oインターフェース750を含み得る。そのバスは、メモリバスまたはメモリコントローラ、周辺バス、ビデオバスなどを含む、任意のタイプのいくつかのバスアーキテクチャのうちの1つまたは複数でもよい。
【００２８】
CPU710は、任意のタイプの電子データプロセッサを備え得る。メモリ720は、スタティックランダムアクセスメモリ(SRAM)、ダイナミックランダムアクセスメモリ(DRAM)、同期型DRAM(SDRAM)、読取り専用メモリ(ROM)、それらの組合せなどの任意のタイプのシステムメモリを備え得る。一実施形態で、メモリ720は、起動に使用するためのROMと、プログラムのためのDRAM、および、プログラムを実行する間に使用するためのデータ記憶装置を含み得る。大容量記憶デバイス730は、データ、プログラムおよび他の情報を記憶することと、そのデータ、プログラムおよび他の情報をバスを介してアクセス可能にすることとを行うように構成された任意のタイプの記憶デバイスを備え得る。大容量記憶デバイス730は、たとえば、ソリッドステートドライブ、ハードディスクドライブ、磁気ディスクドライブ、光ディスクドライブなどのうちの1つまたは複数を備え得る。
【００２９】
ビデオアダプタ740およびI/Oインターフェース760は、外部入力および出力デバイスを処理装置に結合させるためのインターフェースを提供する。図示するように、入力および出力デバイスの例は、ビデオアダプタ740に結合されたディスプレイ765と、I/Oインターフェース760に結合されたマウス/キーボード/プリンタ770の任意の組合せとを含む。他のデバイスが、処理装置701に結合することができ、追加のまたはより少数のインターフェースカードが使用され得る。たとえば、直列インターフェースカード(図示せず)が、プリンタのための直列インターフェースを提供するために使用され得る。
【００３０】
処理装置701はまた、イーサネット(登録商標)ケーブルまたは同様のものなどのワイヤードリンク、および/または、ノードまたは1つもしくは複数のネットワーク780にアクセスするためのワイヤレスリンクを備え得る、1つまたは複数のネットワークインターフェース750を含む。ネットワークインターフェース750は、処理装置701がネットワーク780を介して遠隔ユニットと通信できるようにする。たとえば、ネットワークインターフェース750は、1つまたは複数の送信機/送信アンテナと、1つまたは複数の受信機/受信アンテナとを介してワイヤレス通信を提供することができる。一実施形態で、処理装置701は、データ処理、および、他の処理装置、インターネット、遠隔記憶設備などの遠隔デバイスとの通信のために、ローカルエリアネットワークまたはワイドエリアネットワークに結合される。
【００３１】
本発明およびその利点が詳細に説明されたが、様々な変更、置換え、および修正が、添付の特許請求の範囲によって定義されるものとしての本発明の趣旨および範囲を逸脱することなしに、本明細書で行われ得ることを、理解されたい。さらに、本出願の範囲は、本明細書に記載されたプロセス、機械、製造、組成物、手段、方法およびステップの特定の実施形態に限定されるように意図されたものではない。本明細書に記載された対応する実施形態と同じ機能を実質的に実行するまたは同じ結果を実質的に達成する、現在存在するまたは後から開発されることになる、プロセス、機械、製造、組成物、手段、方法またはステップが、本発明に従って使用され得ることが、本発明の開示から当業者には容易に理解されよう。したがって、添付の特許請求の範囲は、そのようなプロセス、機械、製造、組成物、手段、方法またはステップをその範囲内に含むものとする。
【符号の説明】
【００３２】
100  システム
120  目標ユーザ機器
125  協調するユーザ機器
130  論理/仮想マルチポイント(ViMP)ノード
200  システム
210  基地局
220  目標ユーザ機器
225  協調するユーザ機器
230  ViMP Rxノード
240  セル範囲
300  協調的HARQ機構
310  基地局
315  グループ
320  目標ユーザ機器
325  目標ユーザ機器
330  ViMPノード
400  2レベルHARQ方式
500  2レベルHARQ方式
600  時間/周波数リソースグリッド
700  処理システム
701  処理装置
710  中央処理装置
720  メモリ
730  大容量記憶デバイス
740  ビデオアダプタ
760  I/Oインターフェース
765  ディスプレイ
770  マウス/キーボード/プリンタ
780  ネットワーク
【図１】
0006020866.tif 000003
【図２】
0006020866.tif 000004
【図３】
0006020866.tif 000005
【図４】
0006020866.tif 000006
【図５】
0006020866.tif 000007
【図６】
0006020866.tif 000008
【図７】
0006020866.tif 000009